(57)【要約】【課題】ケーブルラックとカバーとの機械的接続と電気的接続とを同一部材で行わせることで、取り付け施工の容易化を図ることのできるカバー取付装置、及びケーブルラックのカバー取付構造を提供する。【解決手段】親桁４と子桁５とからなるケーブルラック１にカバー２を取り付けるカバー取付装置３である。ケーブルラック１の一部に対向するラック対向部１１と、カバー２の一部に対向するカバー対向部１２と備える。ケーブルラック１に向けて締め付けることでケーブルラック１とカバー取付装置３との電気的接続を行わせる雄ねじ部材１８がねじ込まれるねじ貫通孔をラック対向部１１に設ける。カバー２に向けて締め付けることでカバー２とカバー取付装置３との電気的接続を行わせる雄ねじ部材１８がねじ込まれるねじ貫通孔をカバー対向部１２に設ける。【選択図】        図１
2004282853.tif 000002
【特許請求の範囲】
【請求項１】
親桁と子桁とからなるケーブルラックにカバーを取り付けるカバー取付装置であって、ケーブルラックの一部に対向するラック対向部と、カバーの一部に対向するカバー対向部と備え、ケーブルラックに向けて締め付けることでケーブルラックとカバー取付装置との電気的接続を行わせる雄ねじ部材がねじ込まれるねじ貫通孔をラック対向部に設け、カバーに向けて締め付けることでカバーとカバー取付装置との電気的接続を行わせる雄ねじ部材がねじ込まれるねじ貫通孔をカバー対向部に設けたことを特徴とするカバー取付装置。
【請求項２】
上記ねじ貫通孔の孔内面にはそれぞれ雌ねじを刻設したことを特徴とする請求項１記載のカバー取付装置。
【請求項３】
少なくとも一の雄ねじ部材の締め付けによってカバーのケーブルラックへの本固定が行われるようにすることを特徴とする請求項１または２記載のカバー取付装置。
【請求項４】
一対の長尺の親桁の間に複数の子桁を間隔を隔てて架設した梯子状のケーブルラックに対し、その一対の親桁間に被せるようにカバーを取り付けるカバー取付装置であって、親桁及び子桁の長手方向に直交する方向である親桁の幅方向の一端に係止する係止部と、係止部の対向位置に位置してカバーを取り付ける取着部と、係止部と取着部とを連結して親桁の幅方向に亙って添わせる連結部とを備え、取着部にカバーに対向するカバー対向部を設け、連結部に親桁に対向するラック対向部を設けたことを特徴とする請求項１乃至３のいずれかに記載のカバー取付装置。
【請求項５】
一対の長尺の親桁の間に複数の子桁を間隔を隔てて架設した梯子状のケーブルラックに対し、その一対の親桁間に被せるようにカバーを取り付けるカバー取付装置であって、一対の親桁間に亙って配設して親桁との間にカバーを挟むバー材と、バー材の長手方向の端部と係合する係合部と、係合部から連設されて親桁に係止する係止部とを備え、係合部にカバーに対向するカバー対向部を設け、係止部に親桁に対向するラック対向部を設けたことを特徴とする請求項１乃至３のいずれかに記載のカバー取付装置。
【請求項６】
少なくともラック対向部に補強用のフランジ縁を設けたことを特徴とする請求項４または５の記載のカバー取付装置。
【請求項７】
ラック対向部にカバーやケーブルラックの外形に対応する段部を形成したことを特徴とする請求項４乃至６のいずれかに記載のカバー取付装置。
【請求項８】
一対の長尺の親桁の間に複数の子桁を間隔を隔てて架設した梯子状のケーブルラックに対し、その一対の親桁間に被せるようにカバーを取り付けるカバー取付装置であって、子桁に係止する係止部と、係止部の対向位置に位置してカバーを取り付ける取着部と、係止部と取着部とを連結する連結部とを備え、係止部に子桁に対向するラック対向部を設け、取着部にカバーに対向するカバー対向部を設け、カバーに設けた透孔に対応する位置にねじ貫通孔を設けたことを特徴とする請求項１乃至３のいずれかに記載のカバー取付装置。
【請求項９】
一対の長尺の親桁の間に複数の子桁を間隔を隔てて架設した梯子状のケーブルラックに対し、その一対の親桁間に被せるようにカバーを取り付けるカバー取付装置であって、子桁に係止する係止部と、係止部と略同平面上に位置してカバーを取り付ける取着部と、係止部と取着部とを連結する連結部とを備え、係止部に子桁に対向するラック対向部を設け、取着部にカバーに対向するカバー対向部を設け、カバーに設けた透孔に対応する位置にねじ貫通孔を設けたことを特徴とする請求項１乃至３のいずれかに記載のカバー取付装置。
【請求項１０】
親桁と子桁からなるケーブルラックに、請求項１乃至９のいずれかに記載のカバー取付装置を介してカバーを取り付けたことを特徴とするケーブルラックのカバー取付構造。
【発明の詳細な説明】
【０００１】
【発明の属する技術分野】
本発明は、ケーブルラックにカバーを取り付けるためのカバー取付装置、及びケーブルラックへのカバーの取付構造に関する発明である。
【０００２】
【従来の技術】
電気コードなどのケーブルＫを配線するケーブルラック１は、一般的に、一対の長尺の親桁４の間に複数の子桁５を間隔を隔てて架設して梯子状に形成され、親桁４と子桁５とで囲まれた配線空間ＳにケーブルＫを配設して使用される。なお、ケーブルラック１の表面には、その敷設場所の環境に耐え得るように、合成樹脂塗装やメラニン焼付塗装処理などの表面処理が施され、耐候性、防錆性、耐塩性、耐湿性、耐薬品性などを備えるようにされている。また、ケーブルラック１は、ケーブルラック１に配線したケーブルＫに漏電が発生した場合にも漏電電流を逃し得るように、ケーブルラック１全体を電気的に接続した状態にすることが必要な要件とされている。
【０００３】
ケーブルラック１は、上述したように内部にケーブルＫを配線したそのままの状態で使用されることもあるが、ケーブルラック１の敷設場所や配設するケーブルＫの種類などのケーブルラック１の使用条件によっては、配設するケーブルＫの保護などを目的として、図３３に示すようにケーブルラック１に適宜カバー２を取り付けて使用することもある（たとえば、特許文献１参照）。
【０００４】
ここで、図３３のものでは、カバー２のケーブルラック１への取り付けは、一端にフック部４０を設けると共に他端に雄ネジ部４１を設けたフックボルト４２と、カバー２の幅寸法よりも長いバー材４３とを用い、カバー２の幅方向の両端部を一対の親桁４の上に載置させるかたちでカバー２を一対の親桁４に架け渡して配置し、カバー２の幅方向に渡すようにバー材４３をカバー２上に載置し、バー材４３の長手方向の両端部をカバー２の幅方向端部から突出し、フック部４０を親桁４に引っ掛けた状態のフックボルト４２の雄ネジ部４１をバー材４３の長手方向の両端部に設けた貫通孔４４に挿通し、雄ネジ部４１にナット４５を螺合させ、バー材４３とフックボルト４２のフック部４０とでケーブルラック１及びカバー２を挟持させることで行われている。
【０００５】
ところで、ケーブルラック１にカバー２を取り付けした際には、ケーブルラック１のみならずカバー２も含めて電気的に接続した状態にさせることが必要とされる。ここで、カバー２の表面には、ケーブルラック１同様に耐候性などを備えさせる表面処理が施されており、この表面処理被膜に導電性は備えるものではないことから、上述したように単にカバー２をケーブルラック１に取り付けただけでは、ケーブルラック１とカバー２との電気的接続を図れるものではない。しかして、同文献では、カバー２とケーブルラック１との電気的接続を図るのに、図３４、３５のように、積層するカバー２と親桁４との間に、カバー２及び親桁４の各表面処理被膜を突き破って地金部分に食い込ませる導電部材４６を介在させることが提案されている。
【０００６】
【特許文献１】
特開平９−１６８２１７号公報
【０００７】
【発明が解決しようとする課題】
しかしながら、上記文献の提案を採用してカバー２をケーブルラック１に取り付けようとすると、カバー２のケーブルラック１への機械的接続及びカバー２のケーブルラック１への電気的接続のためにそれぞれ、別部材（バー材４３、導電部材４６など）を用いて行わせることになるので、カバー２のケーブルラック１への取り付けにかかる施工が煩雑になるといった問題がある。
【０００８】
本発明は上記の点に鑑みてなされたものであり、ケーブルラックとカバーとの機械的接続と電気的接続とを同一部材で行わせることで、取り付け施工の容易化を図ることのできるカバー取付装置、及びケーブルラックのカバー取付構造を提供することを課題とするものである。
【０００９】
【課題を解決するための手段】
上記課題を解決するために本発明に係るカバー取付装置は、親桁４と子桁５とからなるケーブルラック１にカバー２を取り付けるカバー取付装置３であって、ケーブルラック１の一部に対向するラック対向部１１と、カバー２の一部に対向するカバー対向部１２と備え、ケーブルラック１に向けて締め付けることでケーブルラック１とカバー取付装置３との電気的接続を行わせる雄ねじ部材１８がねじ込まれるねじ貫通孔１７をラック対向部１１に設け、カバー２に向けて締め付けることでカバー２とカバー取付装置３との電気的接続を行わせる雄ねじ部材１８がねじ込まれるねじ貫通孔１７をカバー対向部１２に設けたことを特徴とする。
【００１０】
これによると、各ねじ貫通孔１７に通した各雄ねじ部材１８によって、ケーブルラック１とカバー取付装置３とが、またカバー２とカバー取付装置３とが、それぞれ電気的及び機械的に接続されることとなり、結果、カバー取付装置３を介してケーブルラック１とカバー２との機械的及び電気的接続を行わせることができるのであり、つまり、ケーブルラック１とカバー２との間の機械的接続及び電気的接続が一のカバー取付装置３にて行われ、簡単な構造で、電気的接続を伴なったカバー２のケーブルラック１への取り付けが可能となる。
【００１１】
また、上記ねじ貫通孔１７の孔内面にはそれぞれ雌ねじを刻設したことも好ましい。これによると、雄ねじ部材１８にセルフタッピングボルトではなく通常のボルトを用いることができ、雄ねじ部材１８のねじ貫通孔１７へのねじ込み作業を容易に行わせることができる。
【００１２】
また、少なくとも一の雄ねじ部材１８の締め付けによってカバー２のケーブルラック１への本固定が行われるようにすることも好ましい。これによると、一の雄ねじ部材の締め付けによって機械的接続と電気的接続とを同時に行わせることができる。
【００１３】
また、一対の長尺の親桁４の間に複数の子桁５を間隔を隔てて架設した梯子状のケーブルラック１に対し、その一対の親桁４間に被せるようにカバー２を取り付けるカバー取付装置３であって、親桁４及び子桁５の長手方向に直交する方向である親桁４の幅方向の一端に係止する係止部８と、係止部８の対向位置に位置してカバー２を取り付ける取着部９と、係止部８と取着部９とを連結して親桁４の幅方向に亙って添わせる連結部１０とを備え、取着部９にカバー２に対向するカバー対向部１２を設け、連結部１０に親桁４に対向するラック対向部１１を設けたことも好ましい。このカバー取付装置３は、特に、略水平に配設したケーブルラック１の一対の親桁４の上からカバー２を取り付ける際に有効に用いることができる。
【００１４】
また、一対の長尺の親桁４の間に複数の子桁５を間隔を隔てて架設した梯子状のケーブルラック１に対し、その一対の親桁４間に被せるようにカバー２を取り付けるカバー取付装置３であって、一対の親桁４間に亙って配設して親桁４との間にカバー２を挟むバー材２１と、バー材２１の長手方向の端部と係合する係合部２６と、係合部２６から連設されて親桁４に係止する係止部８とを備え、係合部２６にカバー２に対向するカバー対向部１２を設け、係止部８に親桁４に対向するラック対向部１１を設けたことも好ましい。このカバー取付装置３は、特に、略水平に配設したケーブルラック１の一対の親桁４の下からカバー２を取り付ける際に有効に用いることができる。
【００１５】
また、少なくともラック対向部１１に補強用のフランジ縁１３を設けたことも好ましい。これによると、ねじ貫通孔１７への雄ねじ部材１８のねじ込み圧に対するラック対向部１１の剛性強度を向上させることができる。
【００１６】
また、ラック対向部１１にカバー２やケーブルラック１の外形に対応する段部１６を形成したことも好ましい。これによると、この段部１６によってラック対向部１１をケーブルラック１に近接させることができ、ラック対向部１１のねじ貫通孔１７に挿通させてケーブルラック１に向けて締め付ける雄ねじ部材１８に長さが短いものを採用できる。
【００１７】
また、一対の長尺の親桁４の間に複数の子桁５を間隔を隔てて架設した梯子状のケーブルラック１に対し、その一対の親桁４間に被せるようにカバー２を取り付けるカバー取付装置３であって、子桁５に係止する係止部８と、係止部８の対向位置に位置してカバー２を取り付ける取着部９と、係止部８と取着部９とを連結する連結部１０とを備え、係止部８に子桁５に対向するラック対向部１１を設け、取着部９にカバー２に対向するカバー対向部１２を設け、カバー２に設けた透孔２９に対応する位置にねじ貫通孔１８を設けたことも好ましい。このカバー取付装置３は、特に、並設した親桁４における幅方向の一端部の間に子桁５を架設してケーブルラック１を形成し、このケーブルラック１をたとえば略垂直に配設し、子桁５が架設されない側である親桁４の幅方向の他端部の間にカバー２を架け渡すように取り付ける際に、有効に用いることができる。
【００１８】
また、一対の長尺の親桁４の間に複数の子桁５を間隔を隔てて架設した梯子状のケーブルラック１に対し、その一対の親桁４間に被せるようにカバー２を取り付けるカバー取付装置３であって、子桁５に係止する係止部８と、係止部８と略同平面上に位置してカバー２を取り付ける取着部９と、係止部８と取着部９とを連結する連結部１０とを備え、係止部８に子桁５に対向するラック対向部１２を設け、取着部９にカバー２に対向するカバー対向部１１を設け、カバー２に設けた透孔２９に対応する位置にねじ貫通孔１８を設けたも好ましい。このカバー取付装置３は、特に、並設した親桁４における幅方向の一端部の間に子桁５を架設してケーブルラック１を形成し、このケーブルラック１をたとえば略垂直に配設し、子桁５が架設される上記親桁４の幅方向の一端部に間にカバー２を架け渡すように取り付ける際に、有効に用いることができる。
【００１９】
また、ケーブルラックのカバー取付構造であって、親桁４と子桁５からなるケーブルラック１に、上記いずれかに記載のカバー取付装置３を介してカバー２を取り付けたことを特徴とする。
【００２０】
【発明の実施の形態】
本発明は、親桁４と子桁５とからなるケーブルラック１にカバー２を取り付けるカバー取付装置３、及びこのカバー取付装置３を用いてカバー２をケーブルラック１に取り付けたケーブルラック１のカバー取付構造であり、ケーブルラック１とカバー２との機械的接続と電気的接続とを同一部材（カバー取付装置３）で行わせて取り付け施工の容易化を図ったことに発明の主旨がある。以下、本発明を添付図面に示す実施形態に基づいて説明するが、まず、本発明の前提となるケーブルラック１、カバー２について説明する。
【００２１】
ケーブルラック１は、一対の長尺の親桁４を平行に並べて配置し、この一対の親桁４の間に親桁４の長手方向に間隔を隔てて複数の子桁５を架設することで構成された梯子状の骨組体である。詳しくは、親桁４は、主体壁４ａの幅方向の両端部から内方に折り曲げた折曲壁４ｂを延設した断面略コ字状の長尺部材である。なお、主体壁４ａの幅方向の中央部分には内方に薄く凹没した凹条部６がその長手方向に亙って形成されている。また、子桁５は、底壁５ａの幅方向両端から側壁５ｂをそれぞれ立ち上げ、側壁５ｂの上端から対向する側壁５ｂに向けてリップ片５ｃを延設した断面リップ付きコ字状の長尺部材である。なお、各リップ片５ｃの突出端には底壁５ａに向けて突条片７が突設されている。そして、親桁４の一方の折曲壁４ｂの内面に子桁５の底壁５ａを載せると共に親桁４の長手方向及び幅方向と子桁５の長手方向とが略直交した位置関係を有するかたちで、一対の親桁４間に子桁５を架設することでケーブルラック１が形成されている。上記構成のケーブルラック１は、一対の対向する親桁４と複数の子桁５とで囲まれた配線空間Ｓに、電源ケーブルなどのケーブルＫを配線して使用される。なお、ケーブルラック１にはその表面に耐候性等を備えさせる被膜が表面処理によって施されている。この被膜は、ケーブルラック１の地金と異なり導電性は有さないものである。
【００２２】
カバー２は、ケーブルラック１の一対の親桁４の主体壁４ａ間の寸法にその幅寸法を略合わせた板面部２ａで主体が構成され、親桁４の折曲壁４ｂの外面に板面部２ａを積層配置したときに親桁４の主体壁４ａの外面に沿うような折曲部２ｂが、板面部２ａの幅方向の端部から延設されている。このカバー２は、ケーブルラック１の敷設場所などの使用状態によりケーブルラック１に適宜取り付けられるもので、ケーブルラック１同様、その表面には耐候性等を備えさせる被膜が表面処理によって施されている。この被膜は、カバー２の地金と異なり導電性は有さないものである。
【００２３】
なお、下記に挙げる本発明の実施の形態の諸例のカバー取付装置３は、その共通事項として、ケーブルラック１に係止させる係止部８と、カバー２を取り付ける取着部９と、係止部８と取着部９とを連結する一体物である連結部１０と、ケーブルラック１の一部に対向するラック対向部１１と、カバー２の一部に対向するカバー対向部１２とを有して構成したものである。
【００２４】
図１乃至図９に本発明の実施の形態の例を示す。本例のカバー取付装置３は、図２乃至図４に示すように、対向して位置する係止部８と取着部９とを連結部１０で連結した側面視コ字板状の金属部材である。ここでは、係止部８、取着部９及び連結部１０で囲まれる方向を内方と称して説明をする。具体的に本例のカバー取付装置３は、材料である板材１４の長手方向の一端と他端とをそれぞれ折り曲げて取着部９及び係止部８を形成すると共に、この折り曲げた一端と他端との間の板材１４の部位を連結部１０として構成されている。このように本例のカバー取付装置３は、一の板材１４で一体的に形成されたので、、構成部材点数が抑えられて構成が簡略化し、また簡単に形成可能なものであり、更には剛体化されて高い剛性強度が備えられている。また、本例のカバー取付装置３は、板材１４の長手方向に亙る板材１４の幅方向の端部を内方に折り曲げてフランジ縁１３を形成している。しかしてカバー取付装置３は、外面を構成せる板材１４の板面部１４ａの幅方向両端からフランジ縁１３をそれぞれ内方に延設したコ字状断面を全体に有している。この全体に亙るフランジ縁１３によってカバー取付装置３の剛性強度は向上している。また、本例の係止部８は、ケーブルラック１の親桁４に係止する部位であり、係止部８に位置したフランジ縁１３から内方に突出すると共にその突出先端で連結部１０側に折り曲げられたかぎ爪形状の爪部１５が設けられている。また、連結部１０には、連結部１０の係止部８に連続する部位に比べて連結部１０の取着部９に連続する部位を外方に位置させる段部１６が形成されている。この段部１６には、連結部１０の剛性強度を向上させる、カバー取付装置３をケーブルラック１に取り付けたときに連結部１０をケーブルラック１の親桁４の主体壁４ａの外面に近接させる（図８）といった効果がある。そして、連結部１０が親桁４の主体壁４ａの外面に近接されると、カバー取付装置の親桁４からの外方突出部分を低減でき、美観向上や安全性の向上に資することができる。なお、この段部１６は連結部１０と親桁４との形状に関係して適宜設けるものであり、この段部１６を設けないでもカバー取付装置の基本性能に支障をきたすものでないことは言うまでもない。
【００２５】
また、本例のカバー取付装置３の表面には、ケーブルラック１やカバー２と同様に、耐候性等を備えさせる被膜が表面処理によって施されている。この被膜もカバー取付装置３の地金と異なり導電性は有さないものである。また、このカバー取付装置３をケーブルラック１に取り付けた状態では、連結部１０における板面部１４ａの内面が親桁４の外面と対向すると共に、取着部９における板面部１４ａの内面がカバー２の外面と対向するのであり、上記連結部１０における板面部１４ａがラック対向部１１を構成し、取着部９における板面部１４ａがカバー対向部１２を構成している。このラック対向部１１及びカバー対向部１２には、内外に貫通して孔内面に雌ねじが刻設されたねじ貫通孔１７がそれぞれ穿孔され、ボルト等の雄ねじ部材１８をねじ込み可能にしている。なお、ラック対向部１１のねじ貫通孔１７は第１雄ねじ部材１８ａが螺入される第１ねじ貫通孔１７ａを構成し、カバー対向部１２のねじ貫通孔１７は第２雄ねじ部材１８ｂが螺入される第２ねじ貫通孔１７ｂを構成する。
【００２６】
以下には、このカバー取付装置３を用いて、カバー２をケーブルラック１に取り付ける施工例を示す。なお、ここでは、並設した親桁４における幅方向の一端部（以下、一方の折曲壁４ｂ）の間に子桁５を架設してケーブルラック１を形成し、このケーブルラック１を子桁５が下方に位置するように略水平に配設し、子桁５が架設されない側である親桁４の幅方向の他端部（以下、他方の折曲壁４ｂ）の間に上方からカバー２を架け渡すように取り付ける場合について説明する。
【００２７】
まず、図５のように、一対の親桁４における他方の折曲壁４ｂの外面間にカバー２を載置して架け渡すように配置し、親桁４における一方の折曲壁４ｂの内面にカバー取付装置３の爪部１５を引っ掛け、爪部１５を中心にカバー取付装置３全体を親桁４の主体壁４ａにその外側から近接させるよう回動させる（矢印Ａ）。そして、図６のように、回動させたカバー取付装置３の取着部９を他方の折曲壁４ｂに外側から被せるように近接させてカバー２の外面に沿わせるように位置させ、係止部８と取着部９とで親桁４の一対の折曲壁４ｂを把持するかたちで、カバー取付装置３をケーブルラック１に添わせて配置する。そして、図７のように、第１雄ねじ部材１８ａを第１ねじ貫通孔１７ａに挿入し、親桁４に向けて螺進させ、第１雄ねじ部材１８ａの先端を親桁４における主体壁４ａの外面に押し付けるように締め付ける。以上のようにして、カバー取付装置３がカバー２を挟んだ状態でケーブルラック１に機械的に取り付けられる。なお、本例ではその後、図８のように、第２雄ねじ部材１８ｂを第２ねじ貫通孔１７ｂに挿入し、カバー２に向けて螺進させ、第２雄ねじ部材１８ｂの先端をカバー２の外面に押し付けるように締め付けている。この第２雄ねじ部材１８ｂの締め付けによると、後述するカバー２とカバー取付装置３との電気的接続のほかに、カバー２をケーブルラック１に強く当接させ、カバー２のケーブルラック１にへの機械的接続の強化を行わせているものである。なお、図１，９には、カバー取付装置３を介してカバー２をケーブルラック１に機械的に取り付けた状態を示している。
【００２８】
詳しくは、上記各雄ねじ部材１８の締め付けによると、カバー取付装置３は、第１雄ねじ部材１８ａの先端と爪部１５との間に親桁４の一方の折曲壁４ｂを挟んで締め付けると共に、第２雄ねじ部材１８ｂの先端と係止部８との間にカバー２及び親桁４の主体壁４ａを挟んで締め付けるようになり、このようにカバー取付装置３はカバー２を挟んだ状態でケーブルラック１に強固に固定され、カバー２がケーブルラック１に強固に固定されるようになる。
【００２９】
更に言うと、第１雄ねじ部材１８ａを第１ねじ貫通孔１７ａに通してケーブルラック１の親桁４に向けて締め付けた際には、第１雄ねじ部材１８ａの先端がケーブルラック１の被膜を破ってケーブルラック１の地金に接触する。第１雄ねじ部材１８ａは第１ねじ貫通孔１７ａの孔内面でカバー取付装置３の地金と接触しているので、第１雄ねじ部材１８ａによってケーブルラック１とカバー取付装置３とが電気的に接続される。また、第２雄ねじ部材１８ｂを第２ねじ貫通孔１７ｂに通してカバー２に向けて締め付けた際にも、同様に、第２雄ねじ部材１８ｂの先端がカバー２の被膜を破ってカバー２の地金に接触する。この第２雄ねじ部材１８ｂも第２ねじ貫通孔１７ｂの孔内面でカバー取付装置３の地金と接触しているので、第２雄ねじ部材１８ｂによってカバー２とカバー取付装置３とが電気的に接続される。すなわち、カバー取付装置３を介してカバー２とケーブルラック１とが電気的に接続されるようになる。なお、各ねじ貫通孔１７の穿孔加工と表面処理とのタイミングによって各ねじ貫通孔１７の孔内面にも被膜が施されていても、各雄ねじ部材１８が各ねじ貫通孔１７の孔内面に刻設された雌ねじに螺入する際の擦れによって、孔内面の被膜は剥がれてカバー取付装置３の地金と各雄ねじ部材１８とが接触し、各雄ねじ部材１８とカバー取付装置３との電気的接続が確保されるのは言うまでもない。
【００３０】
上述したように、本例のカバー取付装置３を用いてケーブルラック１にカバー２を取り付けるようにすると、カバー取付装置３を介したケーブルラック１へのカバー２の機械的接続と同時にカバー２とケーブルラック１との電気的接続が行われるようになっている。つまり、カバー２とケーブルラック１との機械的接続及び電気的接続が、一の部材であるカバー取付装置３を用いるだけで行われるようにされ、簡単な構造で、電気的接続を伴なったカバー２のケーブルラック１への取り付けが行われるようにされているのである。
【００３１】
なお、本例のカバー取付装置３は、上記説明のように略水平に敷設したケーブルラック１にカバー２を上方から被せるかたちで取り付ける場合に用いるのに特に適しているが、略水平に敷設したケーブルラック１にカバー２を下方から被せるかたちで取り付ける場合（図１４参照）にも用いることが可能なのは言うまでもない。また、本例の場合、第１雄ねじ部材１８ａと第２雄ねじ部材１８ｂとを比較すると、第２雄ねじ部材１８ｂのねじ込みの役割はカバー２のケーブルラック１への押圧を伴なうことから機械的接続の色合いが強く、第１雄ねじ部材１８ａのねじ込みの役割はカバー取付装置３とケーブルラック１との電気的接続の色合いが強い。しかして、カバー取付装置３とケーブルラック１との電気的接続を別途アースボンド等にて行わせる場合等、状況に応じて第１雄ねじ部材１８ａのねじ込み作業は省略することができる。このように、カバー取付装置３は、状況によってはカバー２をケーブルラック１に機械的に取り付ける為だけに用いることも可能であり、状況に応じた施工に対応できるといった利点も有している。
【００３２】
上述したように本例のカバー取付装置３を用いたカバー２のケーブルラック１への取付構造では、カバー２のケーブルラック１への電気的接続と機械的接続とを同一の部材（カバー取付装置３）で行わせており、状況に応じてカバー２のケーブルラック１への機械的接続だけを行わせるといった利便性も有している。また、それらの接続を、簡略な構成、簡略な作業で行うことができる。
【００３３】
以下、本発明の実施の形態の他例を列挙するが、先の実施の形態の例と同様部位には、同符合を付して説明を省き、異なる部位につき説明をしていく。
【００３４】
図１０乃至図１４に本発明の実施の形態の他例を示す。本例のカバー取付装置３は、一対のＬ字金具２０とバー材２１とを一体化して構成される（図１４）。Ｌ字金具２０は、図１０〜１２のように、材料である板材１４の長手方向の適所を略直交するように折り曲げて、垂設した垂直部２０ａの一端から略水平に水平部２０ｂを突設してなる側面視Ｌ字形状に形成された金属部材である。このＬ字金具２０は、垂直部２０ａと水平部２０ｂとで囲まれる方向を内方とすると、Ｌ字金具２０の材料である板材１４の板面部１４ａが外面を構成し、この板面部１４ａの幅方向両端からフランジ縁１３をそれぞれ内方に延設したコ字状断面を全体に有している。このフランジ縁１３はＬ字金具２０の剛性強度を向上させている。一方、バー材２１は、図１３のように、一対の親桁４間寸法と略同様の長さ寸法を有した長尺材である。このバー材２１は、断面リップ付きコ字状の断面を全体に有しており、具体的には、底壁部２１ａの幅方向の両端から側壁部２１ｂを立設すると共に側壁部２１ｂの先端から内方にリップ片部２１ｃを突設させて構成されている。このバー材２１では、その側壁部２１ｂが剛性強度を向上させる働きをしている。
【００３５】
Ｌ字金具２０の水平部２０ｂには、フランジ縁１３から内方に突出してその突出先端が垂直部２０ａ側に折り曲げられたかぎ爪形状の爪部２２が形成されている。この爪部２２は、バー材２１の長手方向の端部における底壁部２１ａに穿孔した係合孔２３に挿入係合するものである。この爪部２２と係合孔２３とでなる係合部２４を介して一対のＬ字金具２０の間にバー材２１を吊時するかたちで各部材２０，２１を一体化することで、本例のカバー取付装置３が形成される（図１４）。なお、一体化したＬ字金具２０とバー材２１とは、Ｌ字金具２０の水平部２０ｂにおける板面部１４ａとバー材２１の底壁部２１ａとが対向して位置し、Ｌ字金具２０の水平部２０ｂにおける板面部１４ａに穿設した第２ねじ貫通孔１７ｂとバー材２１の底壁部２１ａに穿孔したバー材貫通孔２５とが連通するようになっている。また、Ｌ字金具２０の垂直部２０ａの板面部１４ａには第１ねじ貫通孔１７ａが穿設されている。
【００３６】
以下には、このカバー取付装置３を用いて、カバー２をケーブルラック１に取り付ける施工例を示す。なお、ここでは、並設した親桁４における幅方向の一端部（以下、一方の折曲壁４ｂ）の間に子桁５を架設してケーブルラック１を形成し、このケーブルラック１を子桁５が下方に位置するように略水平に配設し、子桁５が架設される側である親桁４の幅方向の一端部（一方の折曲壁４ｂ）の間に下方からカバー２を架け渡すように取り付ける場合について説明する。
【００３７】
まず、係合部２４を介してバー材２１の長手方向の端部にそれぞれＬ字金具２０を取り付けて一体化させ、カバー取付装置３を形成させる。そして、ケーブルラック１の一対の親桁４の一方の折曲壁４ｂの間に下方から被せるようにカバー２を配置し、このカバー２をバー材２１のリップ片部２１ｃの外面上に載置させ、この状態でＬ字金具２０の垂直部２０ａを親桁４の主体壁４ａの外面に添わせて配置する。そして、図１３，１４のように、第１ねじ貫通孔１７ａに第１雄ねじ部材１８ａを親桁４の主体壁４ａの外面に向けて螺進させ、第１雄ねじ部材１８ａの先端を親桁４の主体壁４ａにおける凹条部６に引っ掛けた状態で締め付けることで、バー材２１と親桁４の折曲壁４ｂとの間にカバー２を挟んだ状態でカバー取付装置３がケーブルラック１に機械的に取り付けられる。つまり、カバー２はカバー取付装置３を介してケーブルラック１に強固に取り付けられる。なお、本例では後述するカバー取付装置３とカバー２との電気的接続のために、第２ねじ貫通孔１７ｂに第２雄ねじ部材１８ｂをカバー２に向けて螺進させ、第２雄ねじ部材１８ｂの先端をカバー２の外面に押し付けるように締め付けている。無論、第２雄ねじ部材１８ｂのカバー２に向けた締め付けにあっては、カバー２をケーブルラック１に向けて強く当接させることができるから、カバー２のケーブルラック１への機械的接続を強化させることができる。また、上述した作業手順は一例であり、この手順は適宜変更可能であるのは言うまでもない。
【００３８】
ここで、本例のカバー取付装置３にあって、親桁４の主体壁４ａの外面に対向されるＬ字金具２０の垂直部２０ａはラック対向部１１を構成しており、カバー２の外面に対向されるＬ字金具２０の水平部２０ｂはカバー対向部１２を構成している。また、第１ねじ貫通孔１７ａに螺入されてその先端が親桁４の凹条部６に係止する第１雄ねじ部材１８ａはケーブルラック１の親桁４に係止させる係止部８を構成し、バー材２１を介してカバー２を取着するＬ字金具２０の水平部２０ｂは取着部９を構成している。また、係止部８と取着部９とを連結する連結部１０はＬ字金具２０の全体の躯体（垂直部２０ａ、水平部２０ｂ）が構成している。
【００３９】
上述したように本例のカバー取付装置３を用いたカバー２のケーブルラック１への取付作業でも、先の実施の形態の例同様、第１雄ねじ部材１８ａ及び第２雄ねじ部材１８ｂの締め付けの際に、第１雄ねじ部材１８ａ及び第２雄ねじ部材１８ｂの先端が当接するケーブルラック１やカバー２の被膜を剥がして各部材１，２の地金に接触され、カバー取付装置３を介したカバー２とケーブルラック１との機械的接続と同時に、カバー２とケーブルラック１とにカバー取付装置３を介した電気的接続が行われるようになっており、したがって、カバー２とケーブルラック１との機械的接続及び電気的接続が、一の部材であるカバー取付装置３を用いるだけで行われるから、簡単な構造で電気的接続を伴なったカバー２のケーブルラック１への機械的接続が可能にされている。
【００４０】
更に言うと、第１雄ねじ部材１８ａと第２雄ねじ部材１８ｂとを比較すると、第１雄ねじ部材１８ａのねじ込みの役割はケーブルラック１を両幅から挟みこんでカバー取付装置３をケーブルラック１に強固に固定する機械的接続の色合いが強く、一方、第２雄ねじ部材１８ｂのねじ込みの役割はカバー２とカバー取付装置３との電気的接続の色合いが強い。しかして、カバー取付装置３とカバー２との電気的接続を別途アースボンド等にて行わせる場合等、状況に応じて第２雄ねじ部材１８ｂのねじ込み作業は省略することができる。このように、カバー取付装置３は、状況によってはカバー２を介してカバー取付装置３をケーブルラック１に機械的に取り付ける為だけに用いることも可能であり、状況に応じた施工に対応できるといった利点も有している。
【００４１】
なお、本例のカバー取付装置３は、上記説明のように略水平に敷設したケーブルラック１にカバー２を下方から被せるかたちで取り付ける場合に用いるのに特に適しているが、略水平に敷設したケーブルラック１に上方から被せるかたちで取り付ける場合（図１参照）にも用いることが可能なのは言うまでもない。
【００４２】
上述したように本例のカバー取付装置３を用いたカバー２のケーブルラック１への取付構造では、カバー２のケーブルラック１への電気的接続と機械的接続とを同一の部材（カバー取付装置３）で行わせており、状況に応じてカバー２のケーブルラック１への機械的接続だけを行わせるといった利便性も有している。また、それらの接続を、簡略な構成、簡略な作業で行うことができる。
【００４３】
図１５乃至図２３に本発明の実施の形態の更に他例を示す。本例のカバー取付装置３は、図１５に示すように、対向して位置する係止部８と取着部９とを連結部１０で連結した側面視コ字板状の金属部材である。具体的に、本例のカバー取付装置３は、材料である板材１４の長手方向の一端と他端とをそれぞれ折り曲げて取着部９及び係止部８を形成すると共に、該折り曲げた一端と他端との間の板材１４の部位を連結部１０とするように形成したものである。このように本例のカバー取付装置３は、一の板材１４にて形成されたことで、構成部材点数が抑えられて構成が簡略化し、また簡単に形成可能なものであり、更には剛体化されて高い剛性強度が備えられている。ここで、係止部８は平面視で略矩形状の外形形状を有し、その短辺長さａは子桁５の１対のリップ片５ｃ間の開口幅Ｈより短く形成されると共に、その長辺長さｂは該１対のリップ片５ｃ間の開口幅Ｈより長く形成されている。また、板状の連結部１０は係止部８の長辺である端縁に沿って立設されて取着部９に至るものであり、後述するように取着部９にカバー２を取着した際にはカバー２の自重を支持するようになる。この連結部１０には、カバー２の自重に対する剛性強度を高めるために、長さ方向に延伸して連結部１０に凹凸断面を形成する補強リブ２６が複数条並べて設けられている。なお、この連結部１０における係止部８から取着部９に至る長さ寸法は、略親桁４の幅方向寸法と略同等長さに設定されている。
【００４４】
ここで、本例のカバー取付装置３にあっては、子桁５内に係止される係止部８がラック対向部１１を構成しており、カバー２に対向する取着部９がカバー対向部１２を構成している。そして、ラック対向部１１である係止部８には第１ねじ貫通孔１７ａが、カバー対向部１２である取着部９には第２ねじ貫通孔１７ｂが穿孔されている。なお、本例の第２ねじ貫通孔１７ｂに挿入する第２雄ねじ部材１８ｂには、図１６に示す頭部２７の座面にカバー２の被膜を破って地金に接触する刃部２８が形成されたものを用いている。
【００４５】
以下には、このカバー取付装置３を用いて、カバー２をケーブルラック１に取り付ける施工例を示す。なお、ここでは、並設した親桁４における幅方向の一端部（以下、一方の折曲壁４ｂ）の間に子桁５を架設してケーブルラック１を形成し、このケーブルラック１を略垂直に配設し、子桁５が架設されず且つ子桁５のリップ片５ｃ間の開口方向に位置する親桁４の幅方向の他端部（以下、他方の折曲壁４ｂ）の間に側方からカバー２を架け渡すように取り付ける場合について説明する。
【００４６】
まず、図１７のように、ケーブルラック１の子桁５のリップ片５ｃ間の開口から子桁５の内方にカバー取付装置３の係止部８を挿入する。このときには、子桁５のリップ片５ｃ間の開口幅方向にカバー取付装置３の係止部８の短辺方向を合わせるようにして行う。そして、図１８のように、子桁５内に挿入した係止部８をその場で水平回転させ（矢印Ｂ）、係止部８の長辺の両端部を１対のリップ片５ｃの内方にもぐり込ませる。この状態は、係止部８の長辺の両端部が、子桁５の底壁５ａ内面とリップ片５ｃの突条片７との間で保持されるといった仮係止状態となっている。このように係止部８を子桁５内に係止させる作業は、上述したように子桁５内に挿入した係止部８をその場で水平回転させるといったものであり、簡略な構成で簡略且つスムーズに行わせることができて作業性の向上が図られている。そして、図１９のように、第１ねじ貫通孔１７ａに第１雄ねじ部材１８ａを挿入し、子桁５に向けて螺進させ、第１雄ねじ部材１８ａの先端を子桁５の底壁５ａの内面に押し付け締め付ける。この第１雄ねじ部材１８ａの締め付けによると、図２０のように、子桁５に仮係止された状態の係止部８が浮き上がって、係止部８の長辺の両端部がリップ片５ｃの突条片７の内面に押圧され、係止部８が子桁５に強固に係止・固定される。そして、図２１乃至２３のように、カバー２の板面部２ａに穿孔した透孔２９を第２ねじ貫通孔１７ｂに連通させるようにして、カバー２を一対の親桁４の他方の折曲壁４ｂに沿わせるように配置し、第２雄ねじ部材１８ｂをカバー２の外方から透孔２９に通して第２ねじ貫通孔１７ｂに螺入、締め付けることで、カバー２をカバー取付装置３の取着部９に固定させる。これにより、カバー取付装置３を介してカバー２はケーブルラック１に取り付けられる。ここで、カバー２がケーブルラック１に取付られた状態では、カバー取付装置３の板状の連結部１０は、カバー２の自重方向である親桁４の長手方向に連結部１０の幅方向が向いており、連結部１０にて有効にカバー２の自重を受けるようになっている。すなわち、連結部１０は、カバー２の自重の向き（垂直方向）に対して板面を向けない方向に設定され、カバー２の自重によるモーメントによる連結部１０の変形防止が図られ、カバー２の支持強度の向上が図られている。
【００４７】
また、第１雄ねじ部材１８ａを第１ねじ貫通孔１７ａに締め付けた際には、第１雄ねじ部材１８ａの先端がケーブルラック１の被膜を破ってケーブルラック１の地金に接触し、第１雄ねじ部材１８ａを介してケーブルラック１とカバー取付装置３とが電気的に接続される。一方、第２雄ねじ部材１８ｂを第２ねじ貫通孔１７ｂに締め付けた際には、第２雄ねじ部材１８ｂの頭部２７に設けた刃部２８がカバー２の被膜を破ってカバー２の地金に接触し、第２雄ねじ部材１８ｂを介してカバー２とカバー取付装置３とが電気的に接続される。しかして、カバー取付装置３を介してカバー２とケーブルラック１とが電気的に接続される。
【００４８】
上述したように本例のカバー取付装置３を用いたカバー２のケーブルラック１への取付作業も、先の実施の形態の例同様、カバー取付装置３を介したカバー２とケーブルラック１との機械的接続と同時に、カバー２とケーブルラック１とにカバー取付装置３を介した電気的接続が行われるようになっている。したがって、カバー２とケーブルラック１との機械的接続及び電気的接続が、一のカバー取付装置３を用いるだけで行われ、簡単な構造で電気的接続を伴なったカバー２のケーブルラック１への機械的接続が可能にされているのである。更に言うと、本例のカバー取付装置３を用いたカバー２のケーブルラック１への取付構造では、カバー２のケーブルラック１への電気的接続と機械的接続とを同一の部材（カバー取付装置３）で行わせており、具体的に電気的接続及び機械的接続を行わせる作業は雄ねじ部材１８ａ，１８ｂの締結作業であり、簡略な構成、簡略な作業で行うことができるようにされている利点も有している。
【００４９】
また、本例は、係止部８を子桁５内に係止させてカバー取付装置３をケーブルラック１に固定させた状態で、一体物である連結部１０を介して係止部８と連結した取着部９にカバー２を取着させてカバー２をケーブルラック１に取り付けるといったように、カバー２のケーブルラック１への取付作業が段階的に行えるようにされており、重量のあるカバー２やカバー取付装置３を同時に支持するといった一人の施工者で行うには困難な作業を無くするといった、施工の容易化が図られたものである。そして、この施工の容易化は、特に、略垂直に配設されたケーブルラック１に対してカバー２を取り付ける場合や、傾斜状態に敷設したケーブルラック１にカバー２を沿わせるかたちで取り付ける場合など、ケーブルラック１に沿わせて配置したカバー２が自身の重量でケーブルラック１に対して摺動してしまう可能性のある場合において、その効果は大きい。しかして、本例のカバー取付装置３は、上記説明のように略垂直、傾斜状態に敷設したケーブルラック１にカバー２を沿わせるかたちで取り付ける場合などの、ケーブルラック１に沿わせて配置したカバー２が自身の重量でケーブルラック１に対して摺動してしまう可能性のある場合に、用いるのに適している。しかしながら、略水平に敷設したケーブルラック１にカバー２を沿わせるかたちで取り付ける場合（図１参照）にも用いることが可能なのは言うまでもない。
【００５０】
図２４乃至図３２に本発明の実施の形態の更に他例を示す。本例のカバー取付装置３は、図２４に示す親金具３０と図２５に示す子金具３１とを一体化して構成される（図２６）。具体的に、親金具３０は、親金具３０の材料である板材１４の長手方向の中央域に幅方向に亙って凹没した凹没部１４ｂを形成し、凹没部１４ｂを間に挟んで位置する板材１４の長手方向の両端部を略同平面上に位置させた側面視フランジ付きＵ字形状の金属部材であり、この板材１４の長手方向の一端部で取着部９を、他端部で挿入部３２を、上記凹没部１４ｂで連結部１０をそれぞれ構成している。ここで、上記取着部９はカバー対向部１２を構成すると共に第２ねじ貫通孔１７ｂが穿孔されている。また、挿入部３２は子金具３１と一体化される部位であって、一体化した子金具３１と共にケーブルラック１に係止する係止部８を構成すると共に、子桁５の底壁５ａ内面に対向するラック対向部１１を構成し、第１ねじ貫通孔１７ａが穿孔されている。また、挿入部３２には親金具３０の幅方向の外方に突出したストッパ３３が形成されている。また、連結部１０における挿入部３２への連設部位には凹没部１４ｂの凹没空間ｓ内に突出する係止片３４が形成されている。
【００５１】
一方、子金具３１は、親金具３０の挿入部３２と一体化されて係止部８を構成する部材であり、親金具３０の挿入部３２を摺動可能に挿入する摺動部３５を有している。具体的に、子金具３１は、子金具３１の材料である板材１４の板面部１４ａの幅方向両端を下方に折り曲げて、側面視Ｌ字状の支持片３７を形成した正面視略逆Ｕ字状の金属部材である。上記摺動部３５は板面部１４ａと一対の支持片３７とで囲まれた空間が構成している。また、この板面部１４ａの中央部には板材１４の長さ方向の一端部からスリット３６が切り込まれており、スリット３６が切り込まれない板材１４の長さ方向の他端部は、子桁５のリップ片５ｃ内に係止する引掛部３８を構成している。
【００５２】
親金具３０と子金具３１との一体化は、図２６のように、親金具３０の挿入部３２を子金具３１の摺動部３５にスライド挿入し、親金具３０のストッパ３３を子金具３１の支持片３７上に載置させて、子金具３１の板面部１４ａと支持片３７とで挿入部３２を挟持させるように行われる。なお、このときには、スリット３６と第１ねじ貫通孔１７ａとは連通状態になると共に、衝突位置にあるストッパ３３と支持片３７とが摺動部３５からの挿入部３２の抜け止めを施している。ここで、一体化した親金具３０と子金具３１とからなるカバー取付装置３は、後述するように係止部８を子桁５内に係止させてケーブルラック１に固定される。
【００５３】
以下には、このカバー取付装置３を用いて、カバー２をケーブルラック１に取り付ける施工例を示す。なお、ここでは、並設した親桁４における幅方向の一端部（以下、一方の折曲壁４ｂ）の間に子桁５を架設してケーブルラック１を形成し、このケーブルラック１を略垂直に配設し、親桁４の一方の折曲壁４ｂの間に側方からカバー２を架け渡すように取り付ける場合について説明する。
【００５４】
まず、図２７のように、ケーブルラック１の親桁４の一方の折曲壁４ｂの間にカバー２を配置しておく。なお、カバー２には板面部２ａの適所に透孔２９が穿孔されている。そして、図２８のように、親金具３０の取着部９の第２ねじ貫通孔１７ｂをカバー２の透孔２９と連通状態にするように、親金具３０の係止片３４を子桁５のリップ片５ｃの突条片７に引っ掛け、親金具３０の挿入部３２を子桁５の内方に配置する。このときには、親金具３０の取着部９は挿入部３２に対して親桁４の長手方向の側に位置しており、挿入部３２と取着部９とを連結する連結部１０は子桁５の側壁５ｂを跨ぐように配置される。そして、親金具３０の挿入部３２を子金具３１の摺動部３５内に挿入して親金具３０と子金具３１とを一体化し、カバー取付装置３を形成する。そして、挿入部３２に被せて配置された子金具３１の上から連通状態のスリット３６及び第１ねじ貫通孔１７ａに第１雄ねじ部材１８ａを子桁５の底壁５ａに向けて軽く螺入させる。このときには、第１雄ねじ部材１８ａの先端が子桁５の底壁５ａ内面を押圧してカバー取付装置３を浮き上げ、親金具３０の係止片３４を子桁５のリップ片５ｃ内面に押圧して係止部８を子桁５の内方に軽く係止させ、カバー取付装置３をケーブルラック１に仮固定させる。そして、図２９に示すように、透孔２９及び第２ねじ貫通孔１７ｂに第２雄ねじ部材１８ｂを螺入してカバー２とカバー取付装置３とを固定する。なお、第２雄ねじ部材１８ｂには、先の実施の形態の例同様、頭部２７の座面にカバー２の被膜を破って地金に接触する刃部２８が形成されたものを用いる（図１６参照）。この第２ねじ貫通孔１７ｂに第２雄ねじ部材１８ｂを螺合させたときには、第２雄ねじ部材１８ｂの頭部２７の刃部２８がカバー２の被膜を削ってカバー２の地金に接触し、第２雄ねじ部材１８ｂを介してカバー２とカバー取付装置３との機械的・電気的接続がなされる。そして、図３０のように、挿入部３２を摺動部３５内にスライドさせるべく子金具３１をスライドし（矢印Ｃ）、親金具３０の係止片３４が係止されない側のリップ片５ｃ内に子金具３１の引掛部３８をもぐり込ませる。そして、スリット３６及び第１ねじ貫通孔１７ａに螺合されている第１雄ねじ部材１８ａを子桁５の底壁５ａの内面に向ってきつく締めつけることで、係止部８を子桁５の内方に強く係止させ、カバー取付装置３をケーブルラック１に固定させる。この状態では、図３１，３２のように、第１雄ねじ部材１８ａの締め付けにしたがって、カバー取付装置３が子桁５の底壁５ａの内面から離れるように浮き上がり、親金具３０の係止片３４及び子金具３１の引掛部３８が子桁５の両リップ片５ｃの内面に強く押圧されることから、係止部８が子桁５の内方に強く係止されてカバー取付装置３のケーブルラック１への強固な固定が確保されている。以上のように、カバー取付装置３を介してカバー２がケーブルラック１に取り付けられる。なお、上述した施工手順は一例であって適宜変更可能であり、たとえば挿入部３２を摺動部３５に挿入してカバー取付装置３を形成した後に、このカバー取付装置３の係止部８を子桁５内に配設、固定する手順をふんでもよい。
【００５５】
ここで、第１雄ねじ部材１８ａを第１ねじ貫通孔１７ａに締め付けた際には、第１雄ねじ部材１８ａの先端がケーブルラック１の被膜を破ってケーブルラック１の地金に接触し、第１雄ねじ部材１８ａを介してケーブルラック１とカバー取付装置３とが電気的に接続される。一方、第２雄ねじ部材１８ｂを第２ねじ貫通孔１７ｂに締め付けた際には、第２雄ねじ部材１８ｂの頭部２７に設けた刃部２８がカバー２の被膜を破ってカバー２の地金に接触し、第２雄ねじ部材１８ｂを介してカバー２とカバー取付装置３とが電気的に接続される。しかして、カバー取付装置３を介してカバー２とケーブルラック１とが電気的に接続される。
【００５６】
上述したように、本例のカバー取付装置３を用いてケーブルラック１にカバー２を取り付けるようにすると、先の実施の形態の例同様、カバー取付装置３を介したカバー２とケーブルラック１との機械的接続と同時に、カバー２とケーブルラック１とにカバー取付装置３を介した電気的接続が行われるようになっている。したがって、カバー２とケーブルラック１との機械的接続及び電気的接続が、一のカバー取付装置３を用いるだけで行われ、簡単な構造で電気的接続を伴なったカバー２のケーブルラック１への機械的接続が可能にされている。更に言うと、本例のカバー取付装置３を用いたカバー２のケーブルラック１への取付構造では、カバー２のケーブルラック１への電気的接続と機械的接続とを同一の部材（カバー取付装置３）で行わせており、具体的に電気的接続及び機械的接続を行わせる作業は雄ねじ部材１８ａ，１８ｂの締結作業であり、簡略な構成、簡略な作業で行うことができるようにされている利点も有している。
【００５７】
また、図１５乃至２３の例同様、係止部８を子桁５内に係止させたカバー取付装置３の取着部９にカバー２を取着させて、カバー２をケーブルラック１に取り付けるといったように、カバー２のケーブルラック１への取付作業が段階的に行えるようにされているので、ケーブルラック１に対してカバー２及びカバー取付装置３を同時に所定位置に維持させた状態で各部材の連結作業を行わせる、といった一人の施工者では対応困難な作業を無くするようにされ、施工の容易化が図られている。しかして、上記説明のように略垂直に敷設したケーブルラック１にカバー２を沿わせるかたちで取り付ける場合や、傾斜状態に敷設したケーブルラック１にカバー２を沿わせるかたちで取り付ける場合など、つまりケーブルラック１に沿わせて配置したカバー２が自身の重量でケーブルラック１に対して摺動してしまう可能性のある場合に用いるのに適しているが、略水平に敷設したケーブルラック１にカバー２を沿わせるかたちでケーブルラック１にカバー２を取り付ける場合（図１４参照）にも用いることが可能なのは言うまでもない。
【００５８】
また、図示はしないが、本例におけるカバー取付装置３を、子金具３１を廃し、連結部１０から折り曲げて突出される挿入部３２の突出先端に引掛部３８を設けてなる親金具３０のみで構成するといった一体形成物のカバー取付装置３にしても、子桁５の両リップ片５ｃに引掛部３８及び係止片３４を係止させることで子桁５内に親金具３０を係止可能にすれば、代替して用いることができる。
【００５９】
また、本例に限らず図１０乃至１４の例にも言えることであるが、子桁５に添わせるようにカバー２をケーブルラック１に取り付ける場合であって、図示はしないが、子桁５の底壁５ａの外面が親桁４の折曲壁４ｂの内面に載置固定された際には、子桁５の底壁５ａの外面と親桁４の折曲壁４ｂの外面との高さレベルには厳密には親桁４の折曲壁４ｂの厚み分の段差が形成されるのであるが、扁平板状の板面部２ａのみで構成したカバー２を上記段差内に収めるように配置してもよく、また、積層する子桁５の底壁５ａの外面と親桁４の折曲壁４ｂの内面との間に隙間が形成されて子桁５が親桁４間に架設された際には、扁平板状の板面部２ａのみで構成したカバー２の幅方向の端部を上記隙間に挟み込ませたかたちで、カバー２を配置してもよいのは言うまでもない。
【００６０】
【発明の効果】
上記のように本発明の請求項１の発明にあっては、親桁と子桁とからなるケーブルラックにカバーを取り付けるカバー取付装置であって、ケーブルラックの一部に対向するラック対向部と、カバーの一部に対向するカバー対向部と備え、ケーブルラックに向けて締め付けることでケーブルラックとカバー取付装置との電気的接続を行わせる雄ねじ部材がねじ込まれるねじ貫通孔をラック対向部に設け、カバーに向けて締め付けることでカバーとカバー取付装置との電気的接続を行わせる雄ねじ部材がねじ込まれるねじ貫通孔をカバー対向部に設けたので、各ねじ貫通孔に通した各雄ねじ部材によって、ケーブルラックとカバー取付装置とが、またカバーとカバー取付装置とがそれぞれ電気的及び機械的に接続されることとなり、結果、カバー取付装置を介してケーブルラックとカバーとの機械的及び電気的接続を行わせることができるのであり、つまり、ケーブルラックとカバーとの間の機械的接続及び電気的接続が一のカバー取付装置にて行わせることができるから、簡単な構造で、電気的接続を伴なったカバーのケーブルラックへの取り付けが可能となるのである。
【００６１】
また、請求項２の発明にあっては、上記請求項１の効果に加え、ねじ貫通孔の孔内面にはそれぞれ雌ねじを刻設したので、雄ねじ部材には、セルフタッピングボルトではなく通常のボルトを用いることができ、雄ねじ部材の低廉化や、雄ねじ部材のねじ貫通孔へのねじ込み作業の容易化を図ることができる。
【００６２】
また、請求項３の発明にあっては、上記請求項１または２の効果に加え、少なくとも一の雄ねじ部材の締め付けによってカバーのケーブルラックへの本固定が行われるようにしたので、一の雄ねじ部材の締め付けによって機械的接続と電気的接続とを同時に行わせることができ、作業の効率化を図ることができる。
【００６３】
また、請求項４の発明にあっては、上記請求項１乃至３のいずれかの効果に加え、一対の長尺の親桁の間に複数の子桁を間隔を隔てて架設した梯子状のケーブルラックに対し、その一対の親桁間に被せるようにカバーを取り付けるカバー取付装置であって、親桁及び子桁の長手方向に直交する方向である親桁の幅方向の一端に係止する係止部と、係止部の対向位置に位置してカバーを取り付ける取着部と、係止部と取着部とを連結して親桁の幅方向に亙って添わせる連結部とを備え、取着部にカバーに対向するカバー対向部を設け、連結部に親桁に対向するラック対向部を設けたので、略水平に配設したケーブルラックの一対の親桁の上からカバーを取り付ける際に用いることが適切なカバー取付装置とすることができる。
【００６４】
また、請求項５の発明にあっては、上記請求項１乃至３のいずれかの効果に加え、一対の長尺の親桁の間に複数の子桁を間隔を隔てて架設した梯子状のケーブルラックに対し、その一対の親桁間に被せるようにカバーを取り付けるカバー取付装置であって、一対の親桁間に亙って配設して親桁との間にカバーを挟むバー材と、バー材の長手方向の端部と係合する係合部と、係合部から連設されて親桁に係止する係止部とを備え、係合部にカバーに対向するカバー対向部を設け、係止部に親桁に対向するラック対向部を設けたので、略水平に配設したケーブルラックの一対の親桁の下からカバーを取り付ける際に用いることが適切なカバー取付装置とすることができる。
【００６５】
また、請求項６の発明にあっては、上記請求項４または５の効果に加え、少なくともラック対向部に補強用のフランジ縁を設けたので、ねじ貫通孔への雄ねじ部材のねじ込み圧に対するラック対向部の剛性強度を向上させ、ひいてはカバー取付装置の強度、カバーのケーブルラックへの取付構造の強度の向上を図ることができる。
【００６６】
また、請求項７の発明にあっては、上記請求項４乃至６のいずれかの効果に加え、ラック対向部にカバーやケーブルラックの外形に対応する段部を形成したので、ラック対向部をケーブルラックに近接させることができ、ラック対向部のねじ貫通孔に挿通させてケーブルラックに向けて締め付ける雄ねじ部材に、長さが短いものを採用でき、部品コストの低減を図ることができる。
【００６７】
また、請求項８の発明にあっては、上記請求項１乃至３のいずれかの効果に加え、一対の長尺の親桁の間に複数の子桁を間隔を隔てて架設した梯子状のケーブルラックに対し、その一対の親桁間に被せるようにカバーを取り付けるカバー取付装置であって、子桁に係止する係止部と、係止部の対向位置に位置してカバーを取り付ける取着部と、係止部と取着部とを連結する連結部とを備え、係止部に子桁に対向するラック対向部を設け、取着部にカバーに対向するカバー対向部を設け、カバーに設けた透孔に対応する位置にねじ貫通孔を設けたので、並設した親桁における幅方向の一端部の間に子桁を架設してケーブルラックを形成し、このケーブルラックをたとえば略垂直に配設し、子桁が架設されない側である親桁の幅方向の他端部の間に架け渡すようにカバーを取り付ける際に用いることが適切なカバー取付装置とすることができる。
【００６８】
また、請求項９の発明にあっては、上記請求項１乃至３のいずれかの効果に加え、一対の長尺の親桁の間に複数の子桁を間隔を隔てて架設した梯子状のケーブルラックに対し、その一対の親桁間に被せるようにカバーを取り付けるカバー取付装置であって、子桁に係止する係止部と、係止部と略同平面上に位置してカバーを取り付ける取着部と、係止部と取着部とを連結する連結部とを備え、係止部に子桁に対向するラック対向部を設け、取着部にカバーに対向するカバー対向部を設け、カバーに設けた透孔に対応する位置にねじ貫通孔を設けたので、並設した親桁における幅方向の一端部の間に子桁を架設してケーブルラックを形成し、このケーブルラックをたとえば略垂直に配設し、子桁が架設される上記親桁の幅方向の一端部に間に架け渡すようにカバーを取り付ける際に用いることが適切なカバー取付装置とすることができる。
【００６９】
また、請求項１０の発明は、ケーブルラックのカバー取付構造であるが、請求項１乃至９のいずれかに記載のカバー取付装置を介してカバーを取り付けたので、カバー取付装置を介在させるだけの簡単な構造で、電気的接続を伴なったカバーのケーブルラックへの取り付け（機械的接続）が可能となっているのである。
【図面の簡単な説明】
【図１】本発明の実施の形態の例のカバー取付装置を用いてカバーをケーブルラックに取り付けた状態の全体斜視図である。
【図２】同上のカバー取付装置の斜視図である。
【図３】同上のカバー取付装置を示し、（ａ）は正面図であり、（ｂ）は左側面図であり、（ｃ）は右側面図であり、（ｄ）は上面図であり、（ｅ）は下面図である。
【図４】同上のカバー取付装置を示し、（ａ）は図３（ａ）の背面図であり、（ｂ）は図３（ｄ）のＤ−Ｄ線断面図である。
【図５】同上のカバー取付装置を用いたカバーのケーブルラックへの取付作業を説明する説明図である。
【図６】同上のカバー取付装置を用いたカバーのケーブルラックへの取付作業を説明する説明図である。
【図７】同上のカバー取付装置を用いたカバーのケーブルラックへの取付作業を説明する説明図である。
【図８】同上のカバー取付装置を用いたカバーのケーブルラックへの取付作業を説明する説明図である。
【図９】同上のカバー取付装置を用いたカバーのケーブルラックへの取付作業を説明する説明図である。
【図１０】本発明の実施の形態の他例のカバー取付装置のＬ字金具の斜視図である。
【図１１】同上のＬ字金具を示し、（ａ）は正面図であり、（ｂ）は左側面図であり、（ｃ）は右側面図であり、（ｄ）は上面図であり、（ｅ）は下面図である。
【図１２】同上のＬ字金具を示し、（ａ）は図１１（ａ）の背面図であり、（ｂ）は図１１（ｄ）のＥ−Ｅ線断面図である。
【図１３】同上のカバー取付装置を用いてカバーをケーブルラックに取り付けた状態の要部の斜視図である。
【図１４】同上のカバー取付装置を用いてカバーをケーブルラックに取り付けた状態の全体斜視図である。
【図１５】本発明の実施の形態の更に他例のカバー取付装置を示し、（ａ）は正面図であり、（ｂ）は側面図であり、（ｃ）は上面図であり、（ｄ）は（ａ）のＦ−Ｆ線断面図である。
【図１６】同上の第２雄ねじ部材の側面図である。
【図１７】同上のカバー取付装置を用いたカバーのケーブルラックへの取付作業を説明する説明図である。
【図１８】同上のカバー取付装置を用いたカバーのケーブルラックへの取付作業を説明する説明図である。
【図１９】同上のカバー取付装置を用いたカバーのケーブルラックへの取付作業を説明する説明図である。
【図２０】同上のカバー取付装置を用いたカバーのケーブルラックへの取付作業を説明する説明図である。
【図２１】同上のカバー取付装置を用いたカバーのケーブルラックへの取付作業を説明する説明図である。
【図２２】同上のカバー取付装置を用いてカバーをケーブルラックに取り付けた状態の全体斜視図である。
【図２３】同上のカバー取付装置を用いてカバーをケーブルラックに取り付けた状態を示し、（ａ）は子桁の長さ方向から見た側面断面図であり、（ｂ）はカバーを透視した上面図であり、（ｃ）は親桁の長手方向から見た側面断面図である。
【図２４】本発明の実施の形態の更に他例のカバー取付装置の親金具を示し、（ａ）は正面図であり、（ｂ）は左側面図であり、（ｃ）は下面図である。
【図２５】同上のカバー取付装置の子金具を示し、（ａ）は正面図であり、（ｂ）は左側面図であり、（ｃ）は下面図である。
【図２６】同上のカバー取付装置を用いてカバーをケーブルラックに取り付けた状態を示し、（ａ）は子桁の長手方向から見た側面断面図であり、（ｂ）は上面図であり、（ｃ）は親桁の長手方向から見た側面断面図である。
【図２７】同上のカバー取付装置を用いたカバーのケーブルラックへの取付作業を説明する説明図である。
【図２８】同上のカバー取付装置を用いたカバーのケーブルラックへの取付作業を説明する説明図である。
【図２９】同上のカバー取付装置を用いたカバーのケーブルラックへの取付作業を説明する説明図である。
【図３０】同上のカバー取付装置を用いたカバーのケーブルラックへの取付作業を説明する説明図である。
【図３１】同上のカバー取付装置を用いてカバーをケーブルラックに取り付けた状態の要部の斜視図である。
【図３２】同上のカバー取付装置を用いてカバーをケーブルラックに取り付けた状態の全体斜視図である。
【図３３】従来技術の例を示す分解斜視図である。
【図３４】同上のカバーとケーブルラックとの電気的接続を説明する分解斜視図である。
【図３５】同上のカバーとケーブルラックとの電気的接続を説明する要部の側面断面図である。
【符号の説明】
１  ケーブルラック
２  カバー
３  カバー取付装置
４  親桁
５  子桁
１１  ラック対向部
１２  カバー対向部
１７  ねじ貫通孔
１７ａ  第１ねじ貫通孔
１７ｂ  第２ねじ貫通孔
１８  雄ねじ部材
１８ａ  第１雄ねじ部材
１８ｂ  第２雄ねじ部材
【図１】
2004282853.tif 000003
【図２】
2004282853.tif 000004
【図３】
2004282853.tif 000005
【図４】
2004282853.tif 000006
【図５】
2004282853.tif 000007
【図６】
2004282853.tif 000008
【図７】
2004282853.tif 000009
【図８】
2004282853.tif 000010
【図９】
2004282853.tif 000011
【図１０】
2004282853.tif 000012
【図１１】
2004282853.tif 000013
【図１２】
2004282853.tif 000014
【図１３】
2004282853.tif 000015
【図１４】
2004282853.tif 000016
【図１５】
2004282853.tif 000017
【図１６】
2004282853.tif 000018
【図１７】
2004282853.tif 000019
【図１８】
2004282853.tif 000020
【図１９】
2004282853.tif 000021
【図２０】
2004282853.tif 000022
【図２１】
2004282853.tif 000023
【図２２】
2004282853.tif 000024
【図２３】
2004282853.tif 000025
【図２４】
2004282853.tif 000026
【図２５】
2004282853.tif 000027
【図２６】
2004282853.tif 000028
【図２７】
2004282853.tif 000029
【図２８】
2004282853.tif 000030
【図２９】
2004282853.tif 000031
【図３０】
2004282853.tif 000032
【図３１】
2004282853.tif 000033
【図３２】
2004282853.tif 000034
【図３３】
2004282853.tif 000035
【図３４】
2004282853.tif 000036
【図３５】
2004282853.tif 000037